(57)【特許請求の範囲】
【請求項１】
循環又は排水される洗浄水に濾過作用し且つ捕集物の収納保持のために下向きに突出する膨出状に形成された膨出部を備えるフィルターが、洗浄槽の底面部に、上方側に移動させて取り外しできるように装着された食器洗浄機であって、
前記フィルターが、フィルター周縁部の内側に、前記膨出部を形成するように構成され、
前記フィルターの前記膨出部が、その深さを一端側から他端側に向けて漸次浅くするように形成され、
前記フィルター周縁部における前記膨出部の深さが浅くなる側の周縁部に、上方に突出する状態で取っ手部が設けられ、
前記膨出部が、その最大深さを前記取っ手部の上方への突出高さに相当する大きさよりも小さくするように形成され、
前記洗浄槽における底部に、洗浄対象物を収納保持するかご状の載置体が、その前記底面部に装着された前記フィルターの上方を覆う状態で設けられ、
前記フィルターが、前記取っ手部を上位側とする傾斜姿勢を維持しながら、前記かご状の載置体に設けた開口部を上下方向に挿通させて、取り外し並びに装着できるように構成されている食器洗浄機。
【請求項２】
前記フィルターの前記膨出部が、底部が滑らかな曲面となるように形成されている請求項１記載の食器洗浄機。
【発明の詳細な説明】
【０００１】
【発明の属する技術分野】
本発明は、循環又は排水される洗浄水に濾過作用し且つ捕集物の収納保持のために下向きに突出する膨出状に形成された膨出部を備えるフィルターが、洗浄槽の底面部に、上方側に移動させて取り外しできるように装着された食器洗浄機に関する。
【０００２】
【従来の技術】
かかる食器洗浄機は、食器類等の洗浄対象物の洗浄のために循環される洗浄水や、洗浄の後で排水される洗浄水をフィルターにて濾過作用して、洗い落とされた汚れや残滓等の洗浄物を洗浄水から除去することにより、洗浄や排水を良好に行えるようにしたものである。
つまり、食器洗浄機は、一般に、洗浄ポンプ、洗浄ノズル、排水ポンプ等を備えて、洗浄槽に供給されて貯留されている洗浄水を、洗浄ポンプにより、洗浄ノズルから洗浄槽に載置されている洗浄対象物に噴出させる形態で循環させて、洗浄させることが行われ、そして、洗浄後の洗浄水を排水ポンプにより、洗浄槽外に排水することが行われるのであり、そのような洗浄水の循環や、洗浄水の排水のときに、フィルターが洗浄水を濾過作用することになり、そのような濾過作用により洗浄水から除去された洗浄物がフィルターにて捕集されることになる。
そして、フィルターは、洗浄の後など適当なときに、洗浄槽の底面部から上方に移動させて取り外されて、その捕集物の排除や湯水による洗浄が行われることになる。
【０００３】
従来では、図６（イ）に示すように、このようなフィルター４は、捕集物の収納保持のために下向きに突出する膨出状に形成される膨出部１４が、一端側の深さと他端側の深さとが同じ深さで、しかも大きな深さとなるように形成されていた。なお、図中１５は、取っ手部である。
【０００４】
【発明が解決しようとする課題】
従来のフィルターは、その膨出部が一端側の深さと他端側の深さとが同じ深さで、しかも大きな深さとなるように形成されていたため、フィルターを洗浄槽の底面部から上方に移動させて取り外すときにおいて、洗浄ノズル等の他物との接当を回避するために傾けることがあっても、捕集物をこぼし難いものであるものの、そのように傾けた状態においても、上方からの投影面積が膨出部のために大きくなるものであり、誤って他物と接当させる等、扱い難い問題があった。
ちなみに、一般に、洗浄槽内には、洗浄対象物を収納保持するかご状の載置体が、フィルターの上方を覆う状態で設けられることになるが、傾けた状態においても、フィルターの上方からの投影面積が大きいと、かご状の載置体にフィルターを上下に挿通させるための開口を備えさせることが、洗浄対象物の収納保持を適切に行わせる必要上できないものとなり、フィルターを上方に移動させて取り外すときには、予めかご状の載置体を取り外しておかねばならない不便もあった。
なお、図６の（ロ）に示すように、フィルター４の膨出部１４を浅く形成することが考えられるが、この場合、フィルター４を傾けたときに捕集物がこぼれ易いものとなり、実用し難いものであった。
本発明は、上記実情に鑑みてなされたものであって、フィルターを洗浄槽の底面部から上方側に移動させて取り外すときに、収納保持した捕集物をこぼし難いものとしながらも、他物との接当を回避し易いものとして、便利に使用できる食器洗浄機を提供することを目的とする。
【０００５】
【課題を解決するための手段】
〔請求項１記載の発明〕
請求項１に記載の発明は、循環又は排水される洗浄水に濾過作用し且つ捕集物の収納保持のために下向きに突出する膨出状に形成された膨出部を備えるフィルターが、洗浄槽の底面部に、上方側に移動させて取り外しできるように装着された食器洗浄機であって、
前記フィルターが、フィルター周縁部の内側に、前記膨出部を形成するように構成され、
前記フィルターの前記膨出部が、その深さを一端側から他端側に向けて漸次浅くするように形成され、
前記フィルター周縁部における前記膨出部の深さが浅くなる側の周縁部に、上方に突出する状態で取っ手部が設けられ、
前記膨出部が、その最大深さを前記取っ手部の上方への突出高さに相当する大きさよりも小さくするように形成され、
前記洗浄槽における底部に、洗浄対象物を収納保持するかご状の載置体が、その前記底面部に装着された前記フィルターの上方を覆う状態で設けられ、
前記フィルターが、前記取っ手部を上位側とする傾斜姿勢を維持しながら、前記かご状の載置体に設けた開口部を上下方向に挿通させて、取り外し並びに装着できるように構成されている点を特徴とする。
【０００６】
すなわち、このフィルターを洗浄槽の底面部から上方側に移させて取り外すときに、膨出部の深さが深い側を下位とする状態でフィルターを傾斜姿勢にすると、従来のものと比べて上方からの投影面積が小さくなり、他物との接当を回避し易くなる。また、膨出部の深さが深い方を下位となるように持つことによって、膨出部の捕集物が傾斜姿勢の下位側へ移動していっても、膨出部の深い部分で保護されることによって、こぼれ落ちることが抑制されるようになる。
【０００７】
従って、フィルターを洗浄槽の底面部から上方側に移動させて取り外すことを、収納保持した捕集物をこぼさずに、他物との接当を回避しながら行えるものとなって、一層便利に使用できる食器洗浄機を得るに至った。
【０００９】
又、請求項１に記載の発明によれば、フィルターの膨出部に、段差がないようにすることができる。
【００１０】
従って、フィルターを、洗浄槽の底面部から上方側に移動させて取り外すときに、膨出部が他物と引掛りにくいようにして、フィルターの扱いが一層容易にできるようになる。
【００１２】
又、請求項１に記載の発明によれば、フィルターを移動させるための取っ手部が、膨出部の深さが浅い側の周縁部に、上方に突出する状態で設けられているから、この取っ手部を持つことにより、膨出部の深さが深くなる側が下位側となるような傾斜姿勢でフィルターを保持できるものとなる。
【００１３】
従って、フィルターを洗浄槽の底面部から上方側に移動させて取り外すときに、取っ手部を持つことにより、誤って膨出部の深さが浅い側が下位になる状態でフィルターを保持することを回避しながら、膨出部の深さが深い側が下位になる状態で、フィルターを確実に保持できるようになる。
【００１５】
又、請求項１に記載の発明によれば、フィルターの上方を覆う状態で設けられたかご状の載置体を取り外すことなく、洗浄槽の底面部から洗浄槽の上面部の開口部に向けての移動ができるようになる。また、フィルターを傾斜姿勢にして移動させることができるので、載置体に大きな開口部を設ける必要がない。
従って、載置体を外さずに、且つ、フィルターが収納保持した捕集物をこぼさずに、フィルターを洗浄槽の底面部から上方側に移動させて取り外すことができるようになる。
【００１６】
請求項２に記載の発明は、前記フィルターの前記膨出部が、底部が滑らかな曲面となるように形成されている点を特徴とする。
【００１７】
【発明の実施の形態】
以下、本発明の食器洗浄機の実施の形態を図面に基づいて説明する。
〔実施例〕
この食器洗浄機は、図１、２に示されているように、前面部が開口された本体部１と、その本体部１に対して収納移動可能で、且つ、本体部１から引き出し移動可能な洗浄槽２と、洗浄槽２を本体部１に収納した状態で洗浄槽２の上面部を閉塞し、且つ、洗浄槽２を本体部１から引き出した状態で洗浄槽２の上面部を開口させる内蓋部３と、食器洗浄機の運転を制御する制御装置などから構成されている。
そして、洗浄槽２の底部下方には、洗浄ポンプ５や排水ポンプ（図示せず）などが設けられ、洗浄槽２の内部には、洗浄ノズル６が配置され、それら洗浄ポンプ５や洗浄ノズル６などが洗浄槽２に一体的に組み付けられている。
また、洗浄槽２の底部には、食器などの洗浄対象物を収納保持するかご状の載置体としての洗浄かご８が、上方に取り外し自在に収納されている。
【００１８】
前記本体部１の内側には、洗浄槽２を本体部１に対して収納移動および本体部１から引き出し移動させるための左右一対のスライド機構９が設けられ、このスライド機構９によって、洗浄槽２が水平姿勢またはほぼ水平姿勢の維持した状態で、本体部１に対して収納移動したり、本体部１から引き出し移動されるように構成されている。
前記洗浄槽２の前面部には、本体部１を開閉する扉１０が設けられ、その扉１０には、洗浄槽２を本体部１から引き出すための把手部１１が設けられ、洗浄槽２を本体部１に収納すると扉１０にて本体部１の前面部を閉塞するように構成されている。
そして、洗浄槽２を本体部１から引き出した状態で、食器などを洗浄かご８に収納したり取り出し可能とし、洗浄槽２を本体部１に収納した状態で、洗浄ポンプ５や洗浄ノズル６などを作動させて、洗浄やすすぎを行う洗浄運転や、洗浄水を排水ポンプにて排水する排水運転などの各運転を行うように構成されている。
【００１９】
説明を加えると、この洗浄槽２と内蓋部３により形成される密閉状の洗浄空間Ｋの底部に洗浄かご８を装着し、その洗浄かご８の下方側に設けられた洗浄ノズル６に形成された多数の噴出孔７から洗浄用やすすぎ用の洗浄水を噴出させて、洗浄かご８に収納保持された洗浄対象物の洗浄やすすぎを行う洗浄運転を実行するように構成されている。また、洗浄運転のあとでは、洗浄水を機外に排出する排水運転を実行するように構成されている。
【００２０】
なお、例示はしないが、洗浄水を洗浄槽２内に供給する洗浄水供給路や、洗浄槽２内の洗浄水を機外に排出するため排水路が、洗浄槽２に接続されており、洗浄運転における洗浄水の供給が、洗浄水供給路を用いて行われ、排水運転における洗浄水の排水が、排水路を用いて行われるようになっている。
【００２１】
洗浄槽２の底部には、洗浄槽２内に供給された洗浄水としての水が貯溜され、洗浄槽２の最深部となって洗浄水としての水が貯溜されるように構成された凹み部１２が設けられている。この凹み部１２の上面部の開口部には、図２に示すように、フィルター４が装着されている。さらに、凹み部１２には、洗浄槽２内に貯溜される洗浄水を機外に排出する前述の排水路と、洗浄槽２内に貯溜される洗浄水を洗浄ノズル６にまで搬送する搬送路が接続される状態で備えられている。
【００２２】
前記搬送路は、その途中部に備えられた前記洗浄ポンプ５の作動により、洗浄槽２内に貯溜されている洗浄水を、凹み部１２から噴出ノズル６に向けて搬送することになる。つまり、洗浄運転のときには、洗浄水が循環されるようになっている。
【００２３】
前記排水路には、前記排水ポンプが接続する状態で設けられ、上述の如く、その排水ポンプを作動させて、洗浄水を機外に排出させるようになっている。
【００２４】
前記フィルター４は、図３、図４にも示すように、循環又は排水される洗浄水に濾過作用し且つ捕集物を収納保持のために下向きに突出する膨出状に形成された膨出部１４を備えている。つまり、フィルター４は、前記凹み部１２の周縁に沿った形状のフィルター周縁部１３と、その内側に形成された前記膨出部１４と、フィルター周縁部１３に上方に突出する状態で設けられた取っ手部１５によって構成されている。また、フィルター４は、図２に示すように、凹み部１２の上面開口部の周縁部１６に載置支持されて、洗浄空間Ｋの洗浄ノズル６や洗浄かご８に対して、その設置空間を干渉することがないように、上方側に移動させて取り外しできるように装着されている。
【００２５】
前記膨出部１４は、洗い落とされた汚れや残滓を捕集する濾過作用を奏する網目状のもので構成されており、その深さを一端側から他端側に向けて漸次浅くするように、且つ、底部が滑らかな曲面となるように形成されており、取っ手部１５は、膨出部１４の深さが浅くなる側のフィルター周縁部１３に、上方に突出する状態で設けられている。
【００２６】
前記フィルター４は、フィルター４の上方を覆う状態で設けられた洗浄かご８を上下方向に挿通させて、取り外し並びに装着できるように構成されている。さらに、フィルター４を傾斜姿勢にして、フィルター４の上方からの投影面積を小さくすることによって、他物との接当を回避することが容易となり、膨出部の深さが深い側が下位となるように持つことによって、膨出部１４の捕集物が傾斜姿勢の下位側へ移動していっても、膨出部１４からこぼれ落ちにくくなっている。従って、フィルター４は、図５に示すように、洗浄かご８を取り外すことなく、フィルター４を洗浄槽２の底面部から上方側へ移動させて取り外し、洗浄槽２の上面部の開口部に向けての移動が容易に行えるようになっている。
ちなみに、図５に示したフィルター４の取り外し作業手順について、説明する。最初に、洗浄槽２の底面部に装着されたフィルター４を上方に略水平に持ち上げ、洗浄かご８を挿通させるときには、フィルター４を傾斜姿勢にし、取っ手部が上位側となるようにフィルター４の一方側を持ち上げる状態にする。そして、そのままの傾斜姿勢を維持しながら、洗浄かご８を挿通させ、洗浄槽２の上面の開口部に向けて移動させていくこととなる。
【００２７】
以上のように、本実施例の食器洗浄機は、洗浄動作やすすぎ動作によって洗い落とされた汚れや残滓が、洗浄水とともに、凹み部１２に貯溜されることになる。この貯溜されている洗浄水は、洗浄運転のときには循環され、洗浄運転が終了すると、排水されることになる。この循環または排水される洗浄水に対して、前記フィルター４が濾過作用することとなり、洗い落とされた汚れや残滓が、捕集物として回収保持される。そして、この捕集物を除去するために、フィルター４を、洗浄かご８を取り外すことなく、洗浄槽２の底面部から上方側に移動させて取り外すことによって、容易に捕集物を除去できるものとなっている。
【００２８】
〔別の実施例〕
（１）上記実施例では、上面に開口部をもった洗浄槽が収納移動が可能な引き出し式の食器洗浄機であったが、洗浄槽が前面に開口部を持った据え置き式の食器洗浄機であってもよい。
【図面の簡単な説明】
【図１】食器洗浄機の概略斜視図
【図２】食器洗浄機の概略一部切欠縦断面図
【図３】フィルターの斜視図
【図４】フィルターの詳細側面図
【図５】フィルターの取り外し作業手順図
【図６】従来の食器洗浄機用のフィルターの一部切欠縦断面図
【符号の説明】
２          洗浄槽
４          フィルター
８          かご状の載置体
１３        フィルター周縁部
１４        膨出部
１５        取っ手部
【図１】
0004648579.tif 000002
【図２】
0004648579.tif 000003
【図３】
0004648579.tif 000004
【図４】
0004648579.tif 000005
【図５】
0004648579.tif 000006
【図６】
0004648579.tif 000007